(57)【要約】      （修正有）【課題】開口部の幅を簡単に変更して収納できる物品の保存、運搬するための袋を提供する。【解決手段】少なくとも一つの開口部２を持ち、該開口部の近傍の袋の両側面に、二つの折り目３が開口方向に対して斜めに、且つほぼ左右対称に付設され、該折り目に沿って該開口部の近傍が折り畳まれた状態では、該開口部の近傍が折り畳まれない場合の幅より狭くなっている物品収納用袋である。物品の出し入れ時は開口部の幅を大きくして作業を容易にし、開口部をクリップで密封するときは、折り目に沿って袋を所定の位置に折り重ねて、簡単に開口部の幅を狭くして、袋の幅よりも小さい幅のクリップを使用することができる。【選択図】図３Ａ
2019072553.tif 000002
【特許請求の範囲】
【請求項１】
物品を収納するための袋であって、少なくとも一つの開口部を持ち、該開口部の近傍の該袋の両側面に、二つの折り目が開口方向に対して斜めに、且つほぼ左右対称に付設され、該折り目に沿って該開口部の近傍が折り畳まれた状態では、該開口部の幅が該開口部の近傍が折り畳まれない場合より狭くなっていることを特徴とする物品収納用袋。
【請求項２】
該開口部の近傍が折り畳まれた状態では、折り畳まれた部分が該袋の両側面の間に位置していることを特徴とする請求項１の物品収納用袋。
【請求項３】
該開口部の近傍が折り畳まれた状態では、折り畳まれた部分が該袋の両側面のいずれかの外側に位置していることを特徴とする請求項１の物品収納用袋。
【請求項４】
該開口部の近傍が折り畳まれた状態では、重なった該開口部の端部がほぼ一直線上に位置することを特徴とする請求項３の物品収納用袋。
【請求項５】
嵌合部品および該嵌合部品を支持する支持部材で構成されるクリップで密封することを特徴とする請求項１の物品収納用袋。
【発明の詳細な説明】
【技術分野】
【０００１】  本発明は、物品を収納して保存、運搬するための袋であり、袋の開口部を小さくしてから該袋の幅より小さなクリップで開口部を密封する場合に、該袋に折り目を付設することにより、その作業が簡単にできるようにした物品収納用袋である。
【背景技術】
【０００２】  従来から、食品等が入ったプラスチックフィルム袋の開口部を密封するクリップが市販されており、簡便に使用できるため家庭用、業務用ともに広く普及している。
図４に示す様に、このクリップ８は棒状で断面がＵ字状の溝が形成されている支持部材６の端に、該Ｕ字状の溝に嵌合する嵌合部材５が回動自在に取り付けられており、プラスチックフィルム袋の密封時には、プラスチックフィルム袋の開口部付近の表側面と裏側面を嵌合部材５と支持部材６で挟んで、嵌合部材５と支持部材６を嵌合させる。嵌合部材５と支持部材６はプラスチックで形成されているので、その弾力性と摩擦力を利用して袋の両面のプラスチックフィルムを密着させることにより密封状態を保つ様になっている。【０００３】  しかし、一般的にプラスチックフィルム袋を密封するための袋の形状は特に工夫されておらず、開口部を含めて全体が矩形の形状であるものが殆どであった。そのため、クリップを用いてプラスチックフィルム袋の開口部を密封する場合は、図６に模式的に示す様に、プラスチックフィルム袋１０の幅より幅の広いクリップ８（一点鎖線で表示）を用いる必要があった（以下の図では、図６の様に開口部２を形成する袋の端部を太い破線で示す。）。
そのため、クリップ８が袋１０の外側に飛び出すので、物品や液体の入った複数の袋１０を隙間なく密着して保管することができなかった。また、その様な袋１０を例えばカバンに入れて持ち運ぶときには、クリップ８がどこかに当たって密封状態が外れるおそれがあった。この問題を解決するために、図７の様な開口部２だけ幅を小さくした袋１０を使用することも考えられるが、この場合は開口部２よりも幅の広い固形物は袋１０に収納できなくなり、収納物が液状物だとしても、間口が狭いので例えば簡易トイレ用等の袋としては使えないことは明らかである。【０００４】  クリップで袋を密封する場合、開口部２の近傍を折り返して重ね、開口部の幅を狭くしてから開口部を閉じることができるが、袋のプラスチックフィルムが厚いかコシが強よい場合には嵌合部材５と支持部材６とが外れやすい問題があった。しかし、特開２０１２−１９２９８２に記載されているクリップでは図５に示す様に、通常の第１の支持部材に加えて第２の支持部材７があり、これには嵌合部材５を第１の支持部材６に押し込む作用があるので、袋のプラスチックフィルムが多少厚く、コシが強い場合でも開口部の近傍を折り畳んで間口を狭くすることにより、袋の幅より短いクリップでも安定的に開口部を完全密封することができるようになった。
【発明の概要】
【発明が解決しようとする課題】
【０００５】  しかし、上記のクリップを用いて袋の開口部付近を折り畳む場合は、その度に試行錯誤しながら折り目の位置を決める必要があり、やり直しすることも多く、時間もかかって煩わしかった。
本発明の目的は、上記の問題を解決するために創意工夫されたものであって、袋に物品を入れてクリップで密封する場合に、簡便に物品収納用袋の開口部の幅を調整でき、比較的小さなクリップでも該開口部を密封できるようにした物品収納用袋を提供することにある。
【課題を解決するための手段】
【０００６】  本発明に係る物品収納用袋は、少なくとも一つの開口部を持ち、該開口部の近傍の該袋の両側面に、二つの折り目が開口方向に対して斜めに、且つほぼ左右対称に付設され、該折り目に沿って該開口部の近傍が折り畳まれた状態では、該開口部の幅が該開口部の近傍が折り畳まれない場合より狭くなっていることが特徴である。
【発明の効果】
【０００７】  本発明に係る物品収納用袋を用いれば、物品の出し入れ時は開口部の幅を大きくして作業を容易にし、開口部をクリップで密封するときは、折り目に沿って袋を所定の位置に折り重ねて、簡単に開口部の幅を狭くして、袋の幅よりも小さい幅のクリップを使用することができる。その結果、密封された複数の物品収納用袋を密集させて隙き間なく並べることができる様になる。また、単独の物品収納用袋を保管する場合でも、クリップが他の物品や収納スペースの壁に当たることがなくなり、密封状態がより安定的に維持される。
また、例えば濡れた折り畳み傘等を本発明にかかる物品収納用袋に収納してカバンで携帯する場合でも、カバン内の他の物品と接触してクリップが外れてしまう危険性が小さくなる。さらに、クリップで密封した物品収納用袋は、特開２０１３‐１８９２５７に記載されている図８のクリップ用保持具１１で安定的に吊り下げて運搬できるが、この場合、クリップ８は小さい方が同じ負荷に対して受けるモーメント力が小さくなるのでクリップが変形しにくい利点がある。
特に、袋とクリップをやや大型にした場合には、本発明に係る物品収納用袋は災害や緊急時の浄水用ポリタンクの替わりとして使用することができるが、ポリタンクとは異なり、普段は複数の袋を折り重ねて保管しておくことができるので大きなスペースを必要としないメリットがある。
【図面の簡単な説明】
【０００８】
【図１Ａ】本発明に係る物品収納用袋の実施例１の折り畳む前の正面図である。
【図１Ｂ】本発明に係る物品収納用袋の実施例１の折り畳んだ後の正面図である。
【図１Ｃ】本発明に係る物品収納用袋の実施例１の折り畳んだ後の平面図である。
【図２Ａ】本発明に係る物品収納用袋の実施例２の折り畳む前の正面図である。
【図２Ｂ】本発明に係る物品収納用袋の実施例２の折り畳んだ後の正面図である。
【図３Ａ】本発明に係る物品収納用袋の実施例３の折り畳む前の正面図である。
【図３Ｂ】本発明に係る物品収納用袋の実施例３の折り畳んだ後の正面図である。
【図４】嵌合部材と支持部材で構成される一般的なクリップの斜視図である。
【図５】第２の支持部材を持つクリップの斜視図である。
【図６】従来のプラスチックフィルム袋をクリップで密封した場合の正面図である。
【図７】開口部の幅を狭くした従来のプラスチックフィルム袋の正面図である。
【図８】クリップ保持具で袋を吊り下げた斜視図である。
【発明を実施するための形態】
【０００９】  図１Ａ、図１Ｂ及び図１Ｃは本発明の実施例１を示している。図１Ａは物品収納用袋１を折り畳む前の正面図、図１Ｂは物品収納用袋１を折り畳んだ後の正面図、そして図１Ｃは図１Ｂの状態を上方から見た場合の平面図である。本発明の物品収納用袋１の素材は、一般的には紙やプラスチックフィルムであるが、これに限らず袋と折り目が形成できる素材であればよく特に限定するものではない。ただし、以下では袋はプラスチックフィルム製として説明する。物品収納用袋としては、収納容量を大きくする所謂マチ付の袋を採用することも可能である。また、収納する物品についても個体、液体のいずれでもよく特に限定するものではない。
物品収納用袋１には、その表側面と裏側面の両面に二つの折り目３がほぼ左右対称に、また、収納する物品を出し入れする図の矢印の方向を開口方向とすると、これに対して斜め方向に熱ブレス等で付設される。折り目３の斜めの角度は特に制限はないが、角度が浅いと袋が全体に細くなってしまうので１５度以上が望ましい。
なお、本発明の目的に照らして折り目３は袋の左右に対称的に付設することになるが厳密に左右対称である必要はない。
【００１０】  本実施例１では、開口部２の近傍が折り目３に沿って折り畳まれた状態では、図１Ｃに示す様に、折り畳まれた部分が該袋の表面側と裏側面の両面の間に位置している。すなわち、物体収納用袋１の表側と裏側に付設された二つの折り目３の位置が「山」になり、物体収納用袋１の元々の端部が「谷」となる蛇腹構造となっている。
【００１１】  図２Ａおよび図２Ｂは本発明の実施例２を示している。図２Ａは物品収納用袋１を折り畳む前の正面図、図２Ｂは物品収納用袋１を折り畳んだ後の正面図である。
この実施例２では、開口部２の近傍が折り目３に沿って折り畳まれた状態では、折り畳まれた部分が該袋の両側面のいずれかの外側に位置していることが実施例１と異なる。図２Ａの実施例では左右の折り目３で共に物品収納用袋１の表面側に折り畳まれているが、一方は裏面側に折り畳んでもよい。また、この実施例２では、図２Ａの開口部２の形状が凹型となっているが、これは開口部２の近傍を折り目３に沿って折り畳んだときに、クリップから上にはみ出る物品収納用袋１の部分を少なくして、見た目をすっきりさせる形状であり、物品収納用袋１の近傍が折り畳まれた状態では、開口部２はその重なった端部がほぼ一直線上に位置する２重（袋のプラスチックフィルムとしては４重）の開口部となる。従って、クリップで密封すべき位置がはっきり分かる効果もある。また、図２Ａに示す様に開口部２の両側には閉じた部分７があるが、これは重なり部分が３重になるところが部分的にできることを避けるために設けたものである。閉じた部分７を大きくすると、開口部２の幅を狭くするのに有利であるが、物品を出し入れする図２Ａの状態の時に間口が狭くなり使いにくくなる。なお、実施例１の場合は、原理的に閉じた部分７を持つことはできないが、実施例１と同様にクリップ８から外に出る部分を少なくするために凹型の開口部にすることもできる。
【００１２】  図３Ａおよび図３Ｂは本発明の実施例３を示している。図３Ａは物品収納用袋１を折り畳む前の正面図、図３Ｂは物品収納用袋１を折り畳んだ後の正面図である。この実施例３でも、開口部２の近傍が折り目３に沿って折り畳まれた状態では、折り畳まれた部分が該袋の両側面のいずれかの外側に位置している。また、この実施例３では、折り目に沿って物品収納用袋１を折り畳んだ場合は、開口部２は３重（袋のプラスチックフィルムとしては６重）にほぼ一直線上に重なる開口部となるが、その他の点は実施例２と同様である。
プラスチックフィルムを何重まで重ねることができるかは、プラスチックフィルムの厚さと材質、クリップの形状と材質によるが、これらは用途に応じて選択することができる。
【符号の説明】
【００１３】  １  物品収納用袋
２  開口部
３  折り目
４  閉じた部分
５  嵌合部材
６  支持部材
７  第２の支持部材
８  クリップ
１０  従来のプラスチック袋
１１  クリップ用保持具
【図１Ａ】
2019072553.tif 000003
【図１Ｂ】
2019072553.tif 000004
【図１Ｃ】
2019072553.tif 000005
【図６】
2019072553.tif 000006
【図２Ａ】
2019072553.tif 000007
【図２Ｂ】
2019072553.tif 000008
【図３Ａ】
2019072553.tif 000009
【図３Ｂ】
2019072553.tif 000010
【図４】
2019072553.tif 000011
【図５】
2019072553.tif 000012
【図７】
2019072553.tif 000013
【図８】
2019072553.tif 000014